Podtech/llm-jp-corpus-v4-ja_patent huggingface dataset:
【手続補正書】
【提出日】平成23年3月16日(2011.3.16)
【手続補正１】
【補正対象書類名】特許請求の範囲
【補正対象項目名】全文
【補正方法】変更
【補正の内容】
【特許請求の範囲】
【請求項１】
遊技領域を流下する遊技球を受け入れ可能な第１受入口と、
常には前記第１受入口よりも遊技球の受け入れが困難な第２受入口と、
前記第１受入口または前記第２受入口への遊技球の受け入れに基づいて所定の情報を取得し、当該取得された所定の情報に基づいて所定の判定処理を行うとともに、当該所定の判定処理の結果とは別に、当該取得された所定の情報を抽選情報として記憶する受入処理手段と、
少なくとも１以上の特定値が記憶される通常判定用テーブル、および、当該通常テーブルに記憶される特定値よりも多くの特定値が記憶される特別判定用テーブル、を記憶する判定用テーブル記憶手段と、
前記抽選情報についての当否判定処理を、当該抽選情報と前記通常判定用テーブルに記憶される前記特定値とが一致するか否かにより行う当否判定手段と、
前記抽選情報についての当否判定処理を、当該抽選情報と前記特別判定用テーブルに記憶される前記特定値とが一致するか否かにより行う特別当否判定手段と、
前記当否判定処理の結果に基づいて所定の変動演出を行う変動演出実行手段と、
前記変動演出実行手段による前記所定の変動演出が終了しているとき、記憶状態にある前記抽選情報についての前記当否判定処理の実行を許容する当否判定処理実行手段と、
前記抽選情報と前記特定値とが一致したことに基づいて、遊技者に有利な特典遊技を行う特典遊技実行手段と、
前記特典遊技が付与されたのちの予め定められた所定期間に限って、前記抽選情報についての前記当否判定処理が前記特別当否判定手段により行われる特別遊技状態に制御する特別遊技状態制御手段と、
前記所定の判定処理に用いられ、前記特別判定用テーブルに記憶される特定値と同じ値を演出判定値として有する演出判定用テーブルを記憶する演出判定用テーブル記憶手段と、
前記所定の判定処理は、前記第１受入口または前記第２受入口への遊技球の受け入れに基づいて取得された前記所定の情報と前記演出判定用テーブルとを比較判定し、
前記比較判定の結果を内示しうる内示手段と、
を備え、
少なくとも前記特別遊技状態に制御されている前記所定期間において、前記演出判定用テーブルに記憶される前記演出判定値と一致する前記抽選情報についての前記当否判定処理が実行され難いように、
前記第２受入口への遊技球の受け入れに基づく前記抽選情報が記憶されている限り、当該第２受入口への遊技球の受け入れに基づいて記憶された前記抽選情報についての前記当否判定処理の実行が許容されるとともに、前記第１受入口よりも前記第２受入口への遊技球の受け入れが容易化される
ことを特徴とする遊技機。
【請求項２】
前記第１受入口または前記第２受入口への遊技球の受け入れに基づいて取得される抽選情報は、乱数である
請求項１に記載の遊技機。
【請求項３】
所定の演出画像が表示される演出表示手段をさらに備え、
前記内示手段による内示は、前記演出表示手段にて行われるものである
請求項１または２に記載の遊技機。
【手続補正２】
【補正対象書類名】明細書
【補正対象項目名】０００８
【補正方法】変更
【補正の内容】
【０００８】
上記課題を解決するための本発明に係る遊技機は、遊技領域を流下する遊技球を受け入れ可能な第１受入口と、常には前記第１受入口よりも遊技球の受け入れが困難な第２受入口と、前記第１受入口または前記第２受入口への遊技球の受け入れに基づいて所定の情報を取得し、当該取得された所定の情報に基づいて所定の判定処理を行うとともに、当該所定の判定処理の結果とは別に、当該取得された所定の情報を抽選情報として記憶する受入処理手段と、少なくとも１以上の特定値が記憶される通常判定用テーブル、および、当該通常テーブルに記憶される特定値よりも多くの特定値が記憶される特別判定用テーブル、を記憶する判定用テーブル記憶手段と、前記抽選情報についての当否判定処理を、当該抽選情報と前記通常判定用テーブルに記憶される前記特定値とが一致するか否かにより行う当否判定手段と、前記抽選情報についての当否判定処理を、当該抽選情報と前記特別判定用テーブルに記憶される前記特定値とが一致するか否かにより行う特別当否判定手段と、前記当否判定処理の結果に基づいて所定の変動演出を行う変動演出実行手段と、前記変動演出実行手段による前記所定の変動演出が終了しているとき、記憶状態にある前記抽選情報についての前記当否判定処理の実行を許容する当否判定処理実行手段と、記抽選情報と前記特定値とが一致したことに基づいて、遊技者に有利な特典遊技を行う特典遊技実行手段と、前記特典遊技が付与されたのちの予め定められた所定期間に限って、前記抽選情報についての前記当否判定処理が前記特別当否判定手段により行われる特別遊技状態に制御する特別遊技状態制御手段と、前記所定の判定処理に用いられ、前記特別判定用テーブルに記憶される特定値と同じ値を演出判定値として有する演出判定用テーブルを記憶する演出判定用テーブル記憶手段と、記所定の判定処理は、前記第１受入口または前記第２受入口への遊技球の受け入れに基づいて取得された前記所定の情報と前記演出判定用テーブルとを比較判定し、前記比較判定の結果を内示しうる内示手段と、を備え、少なくとも前記特別遊技状態に制御されている前記所定期間において、前記演出判定用テーブルに記憶される前記演出判定値と一致する前記抽選情報についての前記当否判定処理が実行され難いように、前記第２受入口への遊技球の受け入れに基づく前記抽選情報が記憶されている限り、当該第２受入口への遊技球の受け入れに基づいて記憶された前記抽選情報についての前記当否判定処理の実行が許容されるとともに、前記第１受入口よりも前記第２受入口への遊技球の受け入れが容易化されることを要旨とするものである。
【手続補正書】
【提出日】平成23年4月12日(2011.4.12)
【手続補正１】
【補正対象書類名】特許請求の範囲
【補正対象項目名】全文
【補正方法】変更
【補正の内容】
【特許請求の範囲】
【請求項１】
Ｘ線画像を取得するために、被写体を透過したＸ線を検出するＸ線検出器と、
前記Ｘ線検出器によって取得されたＸ線画像の変化に基づき、前記被写体の注目点を決定し、複数のＸ線焦点から前記注目点に応じたＸ線焦点を選択し、当該選択されたＸ線焦点から前記被写体に対してＸ線を照射させる制御部と、を有することを特徴とするＸ線画像撮影装置。
【請求項２】
前記制御部は、前記被写体に対する所定の作業がなされた後に、前記注目点に応じて前記Ｘ線焦点の照射角度が変更されるように、前記Ｘ線焦点を選択することを特徴とする請求項１に記載のＸ線画像撮影装置。
【請求項３】
前記制御部は、前記Ｘ線画像から前記注目点の移動を抽出し、当該抽出された前記注目点の移動から前記注目点を決定することを特徴とする請求項１もしくは２のいずれかに記載のＸ線画像撮影装置。
【請求項４】
前記制御部は、前記Ｘ線画像と前記Ｘ線焦点との対応情報を記憶し、
前記対応情報を用いて、前記Ｘ線画像に基づき、前記Ｘ線焦点の位置を決定することを特徴とする請求項１乃至３のいずれか１項に記載のＸ線画像撮影装置。
【請求項５】
複数のＸ線焦点から構成され、被写体に対してＸ線を照射するＸ線源と、
Ｘ線画像を取得するために、前記被写体を透過したＸ線を検出するＸ線検出器と、
前記Ｘ線検出器によって取得されたＸ線画像の変化に基づき、前記被写体の注目点を決定し、前記複数のＸ線焦点から前記注目点に応じたＸ線焦点を選択し、当該選択されたＸ線焦点から前記被写体に対してＸ線を照射させる制御部と、を有することを特徴とするＸ線画像撮影装置。
【請求項６】
コンピュータを、
被写体を透過したＸ線を検出するＸ線検出器から、Ｘ線画像を取得する取得手段と、
前記Ｘ線検出器によって取得されたＸ線画像の変化に基づき、前記被写体の注目点を決定し、複数のＸ線焦点から前記注目点に応じたＸ線焦点を選択し、当該選択されたＸ線焦点から前記被写体に対してＸ線を照射させる制御部と、を有することを特徴とするＸ線撮影制御装置として機能させるためのコンピュータプログラム。
【手続補正２】
【補正対象書類名】明細書
【補正対象項目名】発明の名称
【補正方法】変更
【補正の内容】
【発明の名称】Ｘ線画像撮影装置
【手続補正３】
【補正対象書類名】明細書
【補正対象項目名】００１１
【補正方法】変更
【補正の内容】
【００１１】
本発明の目的は、上述の問題点を解消し、機械的な動作を行うことなく、回転ＤＳＡ撮影を実施できるＸ線画像撮影装置を提供することにある。
【手続補正４】
【補正対象書類名】明細書
【補正対象項目名】００１２
【補正方法】変更
【補正の内容】
【００１２】
上記目的を達成するための本発明に係るＸ線画像撮影装置は、Ｘ線画像を取得するために、被写体を透過したＸ線を検出するＸ線検出器と、前記Ｘ線検出器によって取得されたＸ線画像の変化に基づき、前記被写体の注目点を決定し、複数のＸ線焦点から前記注目点に応じたＸ線焦点を選択し、当該選択されたＸ線焦点から前記被写体に対してＸ線を照射させる制御部と、を有することを特徴とする。
【手続補正５】
【補正対象書類名】明細書
【補正対象項目名】００１３
【補正方法】変更
【補正の内容】
【００１３】
本発明に係るＸ線画像撮影装置によれば、簡便な操作で高精度な回転ＤＳＡ画像が得ることができ、より的確な診断、手術が可能となる。
【手続補正書】
【提出日】平成23年3月16日(2011.3.16)
【手続補正１】
【補正対象書類名】特許請求の範囲
【補正対象項目名】全文
【補正方法】変更
【補正の内容】
【特許請求の範囲】
【請求項１】
遊技領域を流下する遊技球を受け入れ可能な第１受入口と、
常には前記第１受入口よりも遊技球の受け入れが困難な第２受入口と、
前記第１受入口または前記第２受入口への遊技球の受け入れに基づいて所定の情報を取得し、当該取得された所定の情報に基づいて所定の判定処理を行うとともに、当該所定の判定処理の結果とは別に、当該取得された所定の情報を抽選情報として記憶する受入処理手段と、
所定の確率で当たりとなりうる内部的な抽選処理を行う抽選手段と、
前記所定の確率よりも高い確率で当たりとなりうる前記内部的な抽選処理を行う特別抽選手段と、
前記内部的な抽選処理の結果に基づいて所定の変動演出を行う変動演出実行手段と、
前記変動演出実行手段による前記所定の変動演出が終了しているとき、記憶状態にある前記抽選情報に基づく前記内部的な抽選処理の実行を許容する抽選実行手段と、
前記内部的な抽選処理の結果が当たりであることに基づいて遊技者に有利な特典遊技を行なう特典遊技実行手段と、
前記特典遊技が実行されたのちの予め定められた所定期間に限って、前記特別抽選手段により前記内部的な抽選処理が行われる特別遊技状態に制御する特別遊技状態制御手段と、
前記所定の判定処理の結果に基づいて、前記受入処理手段により記憶状態にある前記抽選情報に基づく前記内部的な抽選処理の結果として遊技者に利益を付与する可能性を内示しうる内示手段と、
を備え、
少なくとも前記特別遊技状態に制御されている前記所定期間において、前記内示手段により内示された遊技者に利益を付与する可能性がある前記抽選情報についての前記内部的な抽選処理が実行され難いように、
前記第２受入口への遊技球の受け入れに基づく前記抽選情報が記憶されている限り、当該第２受入口への遊技球の受け入れに基づいて記憶された前記抽選情報についての前記内部的な抽選処理の実行が許容されるとともに、前記第１受入口よりも前記第２受入口への遊技球の受け入れが容易化される
ことを特徴とする遊技機。
【請求項２】
前記抽選手段は、
前記第１受入口または前記第２受入口への遊技球の受け入れに基づいて乱数を取得し、該取得した乱数に基づいて、前記内部的な抽選処理を行う
請求項１に記載の遊技機。
【請求項３】
所定の演出画像が表示される演出表示手段をさらに備え、
前記内示手段による内示は、前記演出表示手段にて行われるものである
請求項１または２に記載の遊技機。
【手続補正２】
【補正対象書類名】明細書
【補正対象項目名】０００８
【補正方法】変更
【補正の内容】
【０００８】
上記課題を解決するための本発明に係る遊技機は、遊技領域を流下する遊技球を受け入れ可能な第１受入口と、常には前記第１受入口よりも遊技球の受け入れが困難な第２受入口と、前記第１受入口または前記第２受入口への遊技球の受け入れに基づいて所定の情報を取得し、当該取得された所定の情報に基づいて所定の判定処理を行うとともに、当該所定の判定処理の結果とは別に、当該取得された所定の情報を抽選情報として記憶する受入処理手段と、所定の確率で当たりとなりうる内部的な抽選処理を行う抽選手段と、前記所定の確率よりも高い確率で当たりとなりうる前記内部的な抽選処理を行う特別抽選手段と、前記内部的な抽選処理の結果に基づいて所定の変動演出を行う変動演出実行手段と、前記変動演出実行手段による前記所定の変動演出が終了しているとき、記憶状態にある前記抽選情報に基づく前記内部的な抽選処理の実行を許容する抽選実行手段と、前記内部的な抽選処理の結果が当たりであることに基づいて遊技者に有利な特典遊技を行なう特典遊技実行手段と、前記特典遊技が実行されたのちの予め定められた所定期間に限って、前記特別抽選手段により前記内部的な抽選処理が行われる特別遊技状態に制御する特別遊技状態制御手段と、前記所定の判定処理の結果に基づいて、前記受入処理手段により記憶状態にある前記抽選情報に基づく前記内部的な抽選処理の結果として遊技者に利益を付与する可能性を内示しうる内示手段と、を備え、少なくとも前記特別遊技状態に制御されている前記所定期間において、前記内示手段により内示された遊技者に利益を付与する可能性がある前記抽選情報についての前記内部的な抽選処理が実行され難いように、前記第２受入口への遊技球の受け入れに基づく前記抽選情報が記憶されている限り、当該第２受入口への遊技球の受け入れに基づいて記憶された前記抽選情報についての前記内部的な抽選処理の実行が許容されるとともに、前記第１受入口よりも前記第２受入口への遊技球の受け入れが容易化されることを要旨とするものである。
【手続補正書】
【提出日】平成23年3月28日(2011.3.28)
【手続補正１】
【補正対象書類名】特許請求の範囲
【補正対象項目名】全文
【補正方法】変更
【補正の内容】
【特許請求の範囲】
【請求項１】
記録装置と接続されるデータ処理装置であって、
前記記録装置によって記録媒体から読み出されたデータを受信する受信手段と、
前記記録装置に装着される電池を充電するための所定の電流を制御する制御手段
とを有し、
前記制御手段は、前記記録媒体からのデータの読み出しレートに関連する所定の時間に応じて、前記所定の電流を制御する
ことを特徴とするデータ処理装置。
【請求項２】
前記制御手段は、前記電池の充電が終了するまでの時間が前記所定の時間以上になるように前記所定の電流を制御することを特徴とする請求項１に記載のデータ処理装置。
【請求項３】
前記受信手段によって受信されたデータは、外部装置に転送されることを特徴とする請求項１または２に記載のデータ処理装置。
【請求項４】
前記記録装置は、前記所定の電流に応じて、前記電池を充電することを特徴とする請求項１から３のいずれか１項に記載のデータ処理装置。
【請求項５】
再生装置と接続されるデータ処理装置であって、
データを前記再生装置に含まれる記録媒体に送信する送信手段と、
前記再生装置に装着される電池を充電するための所定の電流を制御する制御手段
とを有し、
前記制御手段は、前記データを前記記録媒体に書き込むための所定の時間に応じて、前記所定の電流を制御する
ことを特徴とするデータ処理装置。
【請求項６】
前記制御手段は、前記二次電池の充電が終了するまでの時間が前記所定の時間以上になるように前記所定の電流を制御することを特徴とする請求項５に記載のデータ処理装置。
【請求項７】
前記送信手段によって前記記録媒体に送信されるデータは、外部装置に格納された映像データであることを特徴とする請求項５または６に記載のデータ処理装置。
【請求項８】
前記再生装置は、前記所定の電流に応じて、前記二次電池を充電することを特徴とする請求項５から７のいずれか１項に記載のデータ処理装置。
【請求項９】
記録装置と接続されるデータ処理装置であって、
前記記録装置から転送されるデータを受信する受信手段と、
前記記録装置に装着される電池の充電が終了するまでの時間が、前記記録装置によるデータ転送の完了に対応する時間以上になるようにすることができる制御手段
とを有することを特徴とするデータ処理装置。
【請求項１０】
再生装置と接続されるデータ処理装置であって、
データを前記再生装置に転送する送信手段と、
前記再生装置に装着される電池の充電が終了するまでの時間が、前記データ処理装置によるデータ転送の完了に対応する時間以上になるようにすることができる制御手段
とを有することを特徴とするデータ処理装置。
【手続補正２】
【補正対象書類名】明細書
【補正対象項目名】０００１
【補正方法】変更
【補正の内容】
【０００１】
本発明は、データ処理装置に関する。
【手続補正３】
【補正対象書類名】明細書
【補正対象項目名】０００９
【補正方法】変更
【補正の内容】
【０００９】
本発明は、電池の充電を適切に制御することを目的とする。
【手続補正４】
【補正対象書類名】明細書
【補正対象項目名】００１０
【補正方法】変更
【補正の内容】
【００１０】
本発明に係るデータ処理装置は、記録装置と接続されるデータ処理装置であって、前記記録装置によって記録媒体から読み出されたデータを受信する受信手段と、前記記録装置に装着される電池を充電するための所定の電流を制御する制御手段とを有し、前記制御手段は、前記記録媒体からのデータの読み出しレートに関連する所定の時間に応じて、前記所定の電流を制御することを特徴とする。
また、本発明に係るデータ処理装置は、再生装置と接続されるデータ処理装置であって、データを前記再生装置に含まれる記録媒体に送信する送信手段と、前記再生装置に装着される電池を充電するための所定の電流を制御する制御手段とを有し、前記制御手段は、前記データを前記記録媒体に書き込むための所定の時間に応じて、前記所定の電流を制御することを特徴とする。
また、本発明に係るデータ処理装置は、記録装置と接続されるデータ処理装置であって、前記記録装置から転送されるデータを受信する受信手段と、前記記録装置に装着される電池の充電が終了するまでの時間が、前記記録装置によるデータ転送の完了に対応する時間以上になるようにすることができる制御手段とを有することを特徴とする。
また、本発明に係るデータ処理装置は、再生装置と接続されるデータ処理装置であって、データを前記再生装置に転送する送信手段と、前記再生装置に装着される電池の充電が終了するまでの時間が、前記データ処理装置によるデータ転送の完了に対応する時間以上になるようにすることができる制御手段とを有することを特徴とする。
【手続補正５】
【補正対象書類名】明細書
【補正対象項目名】００１１
【補正方法】変更
【補正の内容】
【００１１】
本発明によれば、電池の充電を適切に制御することができる。
【手続補正６】
【補正対象書類名】明細書
【補正対象項目名】００１５
【補正方法】変更
【補正の内容】
【００１５】
撮影時、撮像素子１２は、被写体の画像信号を一定繰り返しで出力する。記録再生処理回路１４は、撮像素子１２からの画像信号を所定ビデオ形式の映像信号に変換及び記録処理してデータ転送制御回路１６に出力する。データ転送制御回路１６は、記録再生処理回路１４からの映像データを、データ記憶手段としての記録媒体１８に記録する。記録媒体１８は、例えば、半導体不揮発性メモリ又はハードディスク装置である。このようにして、撮影された静止画像又は動画像が、記録媒体１８に蓄積される。
【手続補正書】
【提出日】平成23年3月14日(2011.3.14)
【手続補正１】
【補正対象書類名】特許請求の範囲
【補正対象項目名】請求項１
【補正方法】変更
【補正の内容】
【請求項１】
複数の棒状磁石が直列状に配列されたシャフトにスライド自在に外嵌され、その内周部に備えるコイルの励磁によって直線的に駆動するよう構成されたリニアモータの可動子であって、
該可動子は、前記シャフトに外嵌される筒状ボビンと、該筒状ボビンの胴部に巻着されるコイルと、該コイルが内装されるケース体とからなり、
前記筒状ボビンは、その両側に、前記コイル端面から広幅に延出形成された余長部を備える一方、
前記ケース体は、前記コイルと両側余長部がセットされた囲繞空間内にホットメルト樹脂を注入するケース体成形用の金型を介して、該コイルと両側余長部の外周面域に密着被覆して所定の外観形状に一体形成された樹脂製のケース体で構成せしめ、
前記両側余長部を、その外周面域に形成されるケース体の両側部を肉厚に補強し、支持する補強支持面に構成してあることを特徴とするリニアモータの可動子。
【手続補正２】
【補正対象書類名】明細書
【補正対象項目名】０００３
【補正方法】変更
【補正の内容】
【０００３】
リニアモータの可動子は、一般的に、シャフトに外嵌されるコイルと、該コイルが内装されるケース体によって構成されている。ケース体は、通常、アルミニウムや鉄などの金属製の箱型に成形されたものが用いられ、コイルは、その両端を軸受部に支持させて、箱型ケース体に内装されている（特許文献１参照）。また、このものでは、箱型ケース体内の空間部にシリコンゴム等の樹脂部材により成形された熱媒体層（フレーム）を、コイル外周面とケース内周面に接触させて、ケース体内の空間部を無くすように収めることで、励磁により生じるコイルの熱が内部にこもってしまうことを防止している。
【手続補正３】
【補正対象書類名】明細書
【補正対象項目名】０００７
【補正方法】変更
【補正の内容】
【０００７】
上記課題を解決するために本発明のリニアモータの可動子は、複数の棒状磁石が直列状に配列されたシャフトにスライド自在に外嵌され、その内周部に備えるコイルの励磁によって直線的に駆動するよう構成されたリニアモータの可動子であって、該可動子は、前記シャフトに外嵌される筒状ボビンと、該筒状ボビンの胴部に巻着されるコイルと、該コイルが内装されるケース体とからなり、前記筒状ボビンは、その両側に、前記コイル端面から広幅に延出形成された余長部を備える一方、前記ケース体は、前記コイルと両側余長部がセットされた囲繞空間内にホットメルト樹脂を注入するケース体成形用の金型を介して、該コイルと両側余長部の外周面域に密着被覆して所定の外観形状に一体形成された樹脂製のケース体で構成せしめ、前記両側余長部を、その外周面域に形成されるケース体の両側部を肉厚に補強し、支持する補強支持面に構成してあることを特徴とする。
また、上記課題を解決するために本発明のリニアモータの可動子製造方法は、複数の棒状磁石が直列状に配列されたシャフトにスライド自在に外嵌される筒状ボビンと、その胴部に巻着されたコイルと、筒状ボビンおよびコイルを内装するケース体とを備え、前記コイルの励磁によって直線的に駆動するよう構成されたリニアモータの可動子を製造する方法であって、前記筒状ボビンには、予めその両側に、前記コイル端面から広幅に延出する余長部を形成させておき、前記コイルと両側余長部を、これらが収納可能な囲繞空間を有するケース体成形用の金型内にセットして、該金型の囲繞空間内にホットメルト樹脂を注入し、該注入されたホットメルト樹脂によって、コイルと両側余長部の外周面域に密着被覆させ、かつ、前記両側余長部を、その外周面域に形成されるケース体の両側部を肉厚に補強し、支持させた構造をもって、所定の外観形状を有する樹脂製のケース体を一体形成することで可動子を製造することを特徴とする。
【手続補正４】
【補正対象書類名】明細書
【補正対象項目名】００１４
【補正方法】変更
【補正の内容】
【００１４】
さて、上記のように、予め所定の可動子３の角柱形状のホットメルト樹脂注入空域５ａと、インサートナット３４などの部材セットが行えるように型形成された金型５を用いて、ケース体３３を成形するには、まず、筒状ボビン３１に芯棒６を挿入し、これを下型５２にセットする。その際、コイル３２の配線３２ａを樹脂テープ材などを用いて束ね、角隅空域５ａ部分に配置させ、そのリード線を配線引出し溝５４から引き出しておく。次いで、４つのインサートナット３４をそれぞれの凸部５２ａに立設セットし、上型５１を被せてボルト止め孔５１ｂより下型５２とボルト止めする。その後、上型５１と下型５２により形成される囲繞空間（内部空域５ａ）内に、注入口５１ａよりホットメルト樹脂を空域５ａ内全体に注入する。注入したホットメルト樹脂が硬化したら上型５１を外して金型５から芯棒６を持って取り出し、芯棒６を引き抜けば、ホットメルト樹脂がコイル３２と両側余長部３１ａ、３１ａの外周面域に密着被覆した状態で、角柱状のケース体３３が成型されると共に可動子３自体の成形が完了する。なお、ケース体３３の外観形状を変更するには、金型５の内部空域５ａを角柱や円柱等の任意の形状に成形しておけばよい。また、本実施例では、ホットメルト樹脂として、接着性、防水性、防滴性、絶縁性、保護性を有する熱可塑性のポリアミド系樹脂を用いたが、ケース体に適した種々の樹脂（ゴムを含む）を用いてもよい。
【手続補正５】
【補正対象書類名】明細書
【補正対象項目名】００１５
【補正方法】変更
【補正の内容】
【００１５】
叙述の如く構成された本発明の実施の形態において、可動子３は、シャフト２に外嵌される筒状ボビン３１と、筒状ボビン３１の胴部に巻着されるコイル３２と、該コイル３２が内装されるケース体３３とにより構成されるのであるが、本発明におけるコイル３２が巻着された筒状ボビン３１の両側には、コイル３２端面から広幅に延出形成された余長部３１ａ、３１ａが設けられており、ケース体３３は、コイル３２と両側余長部３１ａ、３１ａがセットされた囲繞空間（内部空域５ａ）内にホットメルト樹脂を注入するケース体成形用の金型５を介して、コイル３２と両側余長部３１ａ、３１ａの外周面域に密着被覆して角柱の外観形状に一体形成された樹脂製のケース体で構成せしめることで、両側余長部３１ａ、３１ａを、その外周面域に形成されるケース体３３の両側部３３ａ、３３ａを肉厚に補強し、支持する補強支持面として構成させている。
【手続補正書】
【提出日】平成23年3月31日(2011.3.31)
【手続補正１】
【補正対象書類名】明細書
【補正対象項目名】００２１
【補正方法】変更
【補正の内容】
【００２１】
次に、本発明に係るカム構造について図５から図７を参照して詳細に説明する。なお、本実施形態においては、全開検知カム部材８および全閉検知カム部材９の形状は同一であるので、全開検知カム部材８について説明する。
【手続補正２】
【補正対象書類名】明細書
【補正対象項目名】００２２
【補正方法】変更
【補正の内容】
【００２２】
全開検知カム部材８は、例えば、トレランスリングなどからなる取付部１６を備えており、この取付部１６には、制御軸７の外周に装着するための中心孔１７が形成されている。取付部１６の外周の２カ所には、溝形成部１８，１８が直径方向外方に突出するように形成されており、各溝形成部１８の間には、それぞれ調整用溝１９が形成されている。図７に示すように、この調整用溝１９は、本実施形態においては、調整用工具２０が最奥部まで到達できるように幅寸法が大きく形成されている。この幅寸法は、調整用工具２０の厚さ寸法に応じて適宜設定されるものであり、図７においては、調整用工具２０としてドライバを用いた場合を示している。
【手続補正３】
【補正対象書類名】明細書
【補正対象項目名】００２３
【補正方法】変更
【補正の内容】
【００２３】
また、取付部１６の溝形成部１８の先端部上下部分には、上下方向に突出する位置合わせ突起２１が調整用溝１９の両側に位置するようにそれぞれ形成されている。本実施形態においては、下側の位置合わせ突起２１の下面は、取付部１６の中心部分の最下面より内側に位置するように形成され、取付部１６の最下面と溝形成部１８の位置合わせ突起２１の下面との間に間隙ｓが形成されるように構成されている。これにより、図６に斜線で示すように、全開検知カム部材８と隣接する全開検知カム部材８との接触面が、取付部１６の中心部分のみとなり、全開検知カム部材８同士の接触面積の低減を図ることができる。
【手続補正書】
【提出日】平成23年6月16日(2011.6.16)
【手続補正１】
【補正対象書類名】特許請求の範囲
【補正対象項目名】全文
【補正方法】変更
【補正の内容】
【特許請求の範囲】
【請求項１】
植物細胞の染色体の挟動原体異質染色質に選択可能マーカーをコードするＤＮＡが導入されるよう、選択可能マーカーを含む１つまたは複数のＤＮＡフラグメントを植物細胞に導入する段階と、
前記１つまたは複数のＤＮＡフラグメントをゲノムＤＮＡに取込んだ細胞が産生されるような選択条件下で前記植物細胞を増殖させる段階と、
ソーセージ型染色体を含む細胞を選択する段階と
を含んで成る、ここで
ソーセージ染色体は（ｉ）増幅された異質染色質部分および（ｉｉ）真正染色質部分を含むものである、植物ソーセージ型染色体の製造方法。
【請求項２】
更に、遺伝子産物をコードするＤＮＡを導入する段階を含んでおり、この遺伝子産物をコードするＤＮＡは選択可能マーカーを含むフラグメントに存在するかまたは第二のＤＮＡフラグメントに存在し、得られるソーセージ染色体が遺伝子産物をコードする異種ＤＮＡを含むことを特徴とする請求項１に記載の方法。
【請求項３】
植物細胞が、植物プロトプラストである、請求項１または２に記載の方法。
【請求項４】
選択可能マーカーを含む１つまたは複数のＤＮＡフラグメントを植物細胞に導入する段階と、
前記１つまたは複数のＤＮＡフラグメントをそのゲノムＤＮＡに取込んだ細胞が産生されるような選択条件下で細胞を増殖させる段階と、
増殖した細胞から新規な動原体を含む二動原体型染色体を有する細胞を選択する段階と、
ソーセージ染色体が産生される条件下で細胞を増殖させる段階と
を含んで成り、ここで
ソーセージ染色体が（ｉ）増幅された異質染色質部分および（ｉｉ）真正染色質部分を含むものである、植物ソーセージ型染色体の製造方法。
【請求項５】
ソーセージ型染色体を含有する細胞、ここで、ソーセージ型染色体は請求項１から３のいずれか一項に記載の方法で調製されたものである。
【請求項６】
植物プロトプラスト細胞である、請求項５記載の細胞。
【請求項７】
請求項５または６記載の植物細胞を、トランスジェニック植物が産生される条件下で培養する段階を含む、トランスジェニック植物の産生方法。
【請求項８】
植物細胞がタバコ、イネ、トウモロコシ、ライ麦、小麦、大豆、Brassica napus、綿、レタス、ジャガイモ、トマトまたはシロイヌナズナの細胞であることを特徴とする請求項７に記載の方法。
【請求項９】
ＤＮＡフラグメントを植物細胞に導入する段階、ここでＤＮＡフラグメントは植物細胞内の狭動原体領域内へ組み込まれる、
前記植物細胞を増殖させる段階と、
得られた植物細胞から、増幅された領域を染色体内に含む細胞を選択する段階
を含む、増幅された核酸を含む植物染色体の製造方法。
【請求項１０】
前記ＤＮＡフラグメントが、狭動原体領域を標的とする標的化ヌクレオチド配列を含有する、請求項１または９記載の方法。
【請求項１１】
前記標的化配列がｒＤＮＡを含有する、請求項１０記載の方法。
【請求項１２】
前記増幅された領域を含む染色体が、ソーセージ染色体である、請求項９から１１いずれか一項に記載の方法。
【請求項１３】
植物細胞がタバコ、イネ、トウモロコシ、ライ麦、小麦、大豆、Brassica napus、綿、レタス、ジャガイモ、トマト、ツクバネアサガオまたはシロイヌナズナの細胞であることを特徴とする、請求項９から１２いずれか一項に記載の方法。
【請求項１４】
増幅された核酸領域が増幅された内因性染色体核酸を含む、請求項９から１３いずれか一項に記載の方法。
【請求項１５】
前記導入されたＤＮＡフラグメントが１つまたは複数の遺伝子をコードする、請求項１または９記載の方法。
【請求項１６】
前記導入されたＤＮＡフラグメントが植物へ病気に対する耐性を付与する産物をコードするものである、請求項１５記載の方法。
【手続補正書】
【提出日】平成23年3月7日(2011.3.7)
【手続補正１】
【補正対象書類名】特許請求の範囲
【補正対象項目名】全文
【補正方法】変更
【補正の内容】
【特許請求の範囲】
【請求項１】
基材シートの少なくとも一方の表面上に、実質的に一方向に配向する長繊維が集合した長繊維束を少なくとも１個備える清掃用シートであって、
前記長繊維束は、前記長繊維の配向方向と交差する方向に、直線状に延びる繊維接合部により、前記長繊維同士が接合されて形成されており、該長繊維束を前記基材シートにシート接合部を介して接合し、前記繊維接合部の全て又は前記繊維接合部の少なくとも一部は基材シートと接合されていない清掃用シート。
【請求項２】
複数個の前記シート接合部は、前記長繊維の配向方向と交差する方向に間欠的に配置されている請求項１に記載の清掃用シート。
【請求項３】
前記シート接合部それぞれの大きさは、前記長繊維の配向方向に長い請求項１又は２に記載の清掃用シート。
【請求項４】
前記シート接合部は、前記繊維接合部上に配されている請求項１〜３の何れかに記載の清掃用シート。
【請求項５】
前記繊維接合部は、１本の連続した直線状に、又は不連続部が交互に配された並行する２本の不連続線状に形成されている請求項１〜４の何れかに記載の清掃用シート。
【請求項６】
前記繊維接合部は、前記シート接合部と接合されており、該繊維接合部の少なくとも一部は前記基材シートと接合されていない請求項１〜５の何れかに記載の清掃用シート。
【請求項７】
請求項１〜６の何れかに記載の清掃用シートの製造方法であって、
一方向に配向する前記長繊維の集合体を巻き出し、所定幅に拡幅し、前記長繊維の配向方向と交差する方向に延びる前記繊維接合部により、前記長繊維同士を接合し、一体化した長繊維束を形成する長繊維束形成工程と、
前記長繊維の配向方向と同方向に連続した帯状の前記基材シートの少なくとも一方の表面上に供給する長繊維束供給工程と、
前記長繊維束と帯状の前記基材シートとを前記シート接合部を介して接合することにより積層体を形成する積層体形成工程と、
前記積層体を所要の長さに切断して個々の清掃用シートを得る清掃用シート形成工程と
を少なくとも有する清掃用シートの製造方法。
【請求項８】
一体化した前記長繊維束を所要の長さに切断する長繊維束切断工程と、
所要の長さに切断した前記長繊維束を、前記長繊維の配向方向と同方向に連続した帯状の前記基材シートの少なくとも一方の表面上に供給する長繊維束供給工程とを有する請求項７に記載の清掃用シートの製造方法。
【手続補正２】
【補正対象書類名】明細書
【補正対象項目名】０００２
【補正方法】変更
【補正の内容】
【０００２】
従来、ヘッド部及びヘッド部に連結された柄を有する清掃具におけるヘッド部に装着されて使用される清掃用シートとして、無数本の長繊維を備えた清掃用シートが知られている。
例えば、特許文献１には、一方向に延びる無数の熱融着性長繊維が、これと交差する方向に連続的に伸び、且つ熱融着性長繊維の延びる方向に間欠的に複数配設された溶着部によって、熱融着シートに接合されて形成された清掃用シートが開示されている。
【手続補正３】
【補正対象書類名】明細書
【補正対象項目名】０００３
【補正方法】変更
【補正の内容】
【０００３】
しかしながら、特許文献１に記載の清掃用シートは、連続的に伸びる溶着部によって熱融着性長繊維及び熱融着シートが接合されているため、隣り合う溶着部同士の間では、熱融着性長繊維の自由度が制限されてしまい、ゴミ捕集性を向上させることが難しい。
【手続補正４】
【補正対象書類名】明細書
【補正対象項目名】０００４
【補正方法】変更
【補正の内容】
【０００４】
特許文献２には、熱融着性長繊維の自由度を向上させるために、隣り合う溶着部同士の間で無数の熱融着性長繊維を切断し、熱融着性長繊維の長さを二分する工程を含む清掃用シートの製造方法が記載されている。
【手続補正５】
【補正対象書類名】明細書
【補正対象項目名】０００５
【補正方法】変更
【補正の内容】
【０００５】
しかしながら、特許文献２に記載の製造方法で製造された清掃用シートは、熱融着性長繊維及び熱融着シートが連続的に伸びる溶着部によってのみ接合され、一体化されているため、熱融着性長繊維からなる長繊維束の状態では、自由に動くことができず、ゴミ捕集性を向上させることが難しい。
【手続補正書】
【提出日】平成23年4月15日(2011.4.15)
【手続補正１】
【補正対象書類名】特許請求の範囲
【補正対象項目名】全文
【補正方法】変更
【補正の内容】
【特許請求の範囲】
【請求項１】
棒状化粧料（１００）を手指で上下に摺動される操作部（１）に連動して棒状化粧料（１００）を昇降する棒状化粧料繰出し容器において、
棒状化粧料（１００）を収納保持する皿部（３１）及び該皿部（３１）の下方に伸びるスカート部（３３）を一体に形成する化粧料保持筒（３）と、
該化粧料保持筒（３）を収納するよう上端を開口する筒状のスリーブ（５）と、
該スリーブ（５）を内挿固定すると共に前記操作部（１）の上下動作と位置決めを可能にする中ハカマ（７）と、
互いに摺動方向を同一にする前記操作部（１）と化粧料保持筒（３）とを連結する連結部材（５１）と、
スリーブ（５）の開口側を覆うと共に操作部（１）の上端を当接し摺動を抑止するキャップ（１１）と、
前記化粧料保持筒（３）のスカート部（３３）と前記スリーブ（５）の内面との間に軽い押圧力を生じさせ化粧料保持筒（３）の摺動に安定した摩擦抵抗を発生せしめる弾性部とより構成することを特徴とする棒状化粧料繰出し容器。
【請求項２】
前記スカート部（３３）が弾性を有する熱可塑性樹脂で皿部（３１）の下方に延設されると共に、縦長の切り欠き（３８）で分離される一対の脚板（３５）を設け、
前記弾性部が一対の脚板（３５）内面に設けられた板バネ（２１０）、コイルバネ、リングバネ等からなる第１の弾性材であり、弾撥変形した脚板（３５）の下部外周をスリーブ（５）内面に軽く圧接することを特徴とする請求項１記載の棒状化粧料繰出し容器。
【請求項３】
操作部裏面に垂設される連結部材が化粧料保持筒と操作部とが互いに係合し連結することを特徴とする請求項１記載の棒状化粧料繰出し容器。
【請求項４】
前記スカート部（３３）の一対の脚板（３５）に挟まれる位置に前記連結部材（５１）を係合する連結孔（３９）を有することを特徴とする請求項３記載の棒状化粧料繰出し容器。
【手続補正書】
【提出日】平成23年4月8日(2011.4.8)
【手続補正１】
【補正対象書類名】特許請求の範囲
【補正対象項目名】全文
【補正方法】変更
【補正の内容】
【特許請求の範囲】
【請求項１】
薬剤を吐出して利用者に吸入させる吸入装置に取り付け可能な、複数の吐出口を有する吐出ヘッドカートリッジであって、
前記吐出口が設けられている面の端部のうち、前記吐出口の列に平行方向の端部が、前記面に垂直方向に生じる気流の一部を前記面に沿って導くことが可能な形状を有することを特徴とする吐出ヘッドカートリッジ。
【請求項２】
前記吐出口が設けられている面の端部のうち、前記吐出口の列に平行方向の端部が、曲面を有することを特徴とする請求項１に記載の吐出ヘッドカートリッジ。
【請求項３】
前記吐出口が設けられている面の端部のうち、前記吐出口の列に平行方向の端部が、前記吐出口の列に垂直な断面において鈍角を有していることを特徴とする請求項１に記載の吐出ヘッドカートリッジ。
【請求項４】
前記鈍角が、１００°以上１５０°以下であることを特徴とする請求項３に記載の吐出ヘッドカートリッジ。
【請求項５】
前記薬剤を吐出するための熱エネルギーを付与する電気熱変換素子又は機械エネルギーを付与する電気機械変換素子を有する請求項１乃至４のいずれかに記載の吐出ヘッドカートリッジ。
【請求項６】
薬剤を吐出して吸入口を介して利用者に吸入させる吸入装置であって、
吐出された前記薬剤を前記吸入口へと導く気流路と、
前記薬剤を吐出するための複数の吐出口を有し、前記気流路の内部に設けられた吐出ヘッドカートリッジと、を有し、
該吐出ヘッドカートリッジの前記吐出口が設けられている面の端部のうち、前記吐出口の列に平行方向の端部が、利用者の吸入によって前記面に垂直方向に生じる気流の一部を前記面に沿って導くことが可能な形状を有することを特徴とする吸入装置。
【手続補正書】
【提出日】平成23年4月4日(2011.4.4)
【手続補正１】
【補正対象書類名】明細書
【補正対象項目名】００１５
【補正方法】変更
【補正の内容】
【００１５】
また、掻取部は、フィルムシートからの高さ０．１ｍｍ〜０．４ｍｍ、幅０．５ｍｍ〜５ｍｍにて形成するのが好ましい。掻き取り部のフィルムシートからの高さを０．１ｍｍより低いものとすると、掻取部の容積が小さくなり、リムーバー液を十分に取り込めないおそれがある。また、０．４ｍｍより高いものとすると、掻取部が寝てしまいリムーバー液を十分に取り込めないおそれがある。また、掻取部の幅を０．５ｍｍよりも狭いものとすると、掻取部の容積が小さくなり、リムーバー液を十分に取り込めないおそれがある。また、５ｍｍよりも広いものとすると、掻取部が寝てしまい、リムーバー液を十分に取り込めないおそれがある。
【手続補正２】
【補正対象書類名】明細書
【補正対象項目名】００２５
【補正方法】変更
【補正の内容】
【００２５】
また、掻取部（６）は、フィルムシート（１）からの高さ０．１ｍｍ〜０．４ｍｍ、幅０．５ｍｍ〜５ｍｍにて形成するのが好ましい。掻取部（６）のフィルムシート（１）からの高さを０．１ｍｍより低いものとすると、掻取部（６）の容積が小さくなり、リムーバー液を十分に取り込めないおそれがある。また、０．４ｍｍより高いものとすると、掻取部（６）が寝てしまいリムーバー液を十分に取り込めないおそれがある。また、掻取部（６）の幅を０．５ｍｍよりも狭いものとすると、掻取部の容積が小さくなり、リムーバー液を十分に取り込めないおそれがある。また、５ｍｍよりも広いものとすると、掻取部（６）が寝てしまい、リムーバー液を十分に取り込めないおそれがある。
【手続補正書】
【提出日】平成23年4月11日(2011.4.11)
【手続補正１】
【補正対象書類名】特許請求の範囲
【補正対象項目名】全文
【補正方法】変更
【補正の内容】
【特許請求の範囲】
【請求項１】
遊技領域内に配置され遊技媒体が入賞可能な始動口と、
該始動口に遊技媒体が入賞したことを検出する入賞状態検出手段と、
該入賞状態検出手段による前記遊技媒体の検出に基づいて抽選を行う抽選手段と、
所定の開閉動作を行い、閉状態から開状態に変化することで前記遊技媒体が入賞可能となる開閉入賞装置と、
前記抽選手段の抽選結果が当りである場合には、前記開閉入賞装置の開閉動作を行うことで、遊技者に利益を付与する利益付与手段と、
遊技の進行に伴う遊技状態や前記抽選手段の抽選結果に関する演出画像を表示する演出表示装置と、
各々が絵図柄を伴った複数種類の装飾図柄が配列された装飾図柄列を複数記憶する装飾図柄列記憶手段と、
前記抽選手段の抽選結果が当りである場合には、特定の装飾図柄の組合せに決定する一方、前記抽選手段の抽選結果が外れである場合には、前記特定の装飾図柄の組合せとはならない装飾図柄の組合せに決定する最終停止図柄決定手段と、
前記演出表示装置の表示領域に前記複数の装飾図柄列の変動を行い、前記複数の装飾図柄列にまたがる有効ライン上に前記最終停止図柄決定手段の決定結果に対応した装飾図柄の停止図柄で変動を順次停止させる装飾図柄列変動制御手段と、
前記利益が付与される期待度を示唆する期待度演出を複数種類記憶する期待度演出記憶手段と、
前記複数種類の期待度演出のうち前記抽選手段の抽選結果に応じた期待度演出に決定する期待度演出決定手段と、
前記装飾図柄列変動制御手段による前記複数の装飾図柄列の変動に併せて、前記期待度演出決定手段により決定された期待度演出の表示を行う期待度演出表示制御手段と、
前記複数種類の装飾図柄における絵図柄が対応付けられた複数種類の常時演出のうちいずれかの常時演出を記憶する常時演出記憶手段と、
前記常時演出記憶手段に記憶された常時演出から次の常時演出に移行するか否かを所定の移行率で判定し、移行する判定がなされたときに当該次の常時演出に更新させる常時演出判定手段と、
前記演出表示装置の表示領域にて前記期待度演出と共に前記常時演出記憶手段に記憶された常時演出を常態的に表示させる常時演出表示制御手段と、を備え、
前記装飾図柄列変動制御手段は、
前記期待度演出表示制御手段により前記複数種類の期待度演出のうち所定の期待度演出を表示するときには、前記常時演出表示制御手段による前記常時演出の表示期間内に、当該常時演出に対応した絵図柄が前記有効ライン上に揃うかたちで変動を仮停止または停止させることを特徴とする遊技機。
【請求項２】
前記装飾図柄列記憶手段に記憶された前記装飾図柄列は、前記特定の装飾図柄の組合せを構成し得る有効図柄とは周期性の異なる順序で前記絵図柄が配列されることを特徴とする請求項１記載の遊技機。
【請求項３】
前記装飾図柄列記憶手段に記憶された前記装飾図柄列は、前記特定の装飾図柄の組合せを構成し得る有効図柄の種別よりも、前記絵図柄の種別が少なくなるように構成されることを特徴とする請求項１または請求項２に記載の遊技機。
【手続補正書】
【提出日】平成23年6月28日(2011.6.28)
【手続補正１】
【補正対象書類名】特許請求の範囲
【補正対象項目名】全文
【補正方法】変更
【補正の内容】
【特許請求の範囲】
【請求項１】
遊技盤面に設けられた第１及び第２の始動入賞口にそれぞれ遊技球が入賞する毎に乱数を取得し、当該乱数に基づき前記遊技盤面に設けられた一の可変入賞口を開放して入賞容易とする特別遊技を実行するか否かを判定し、当該特別遊技を実行するときは第１の始動口に対応する第１の特別図柄または第２の始動口に対応する第２の特別図柄、及びその特別図柄に対応した装飾図柄を決定する図柄変動判定手段と、
前記特別図柄及び前記装飾図柄をそれぞれ表示させる特別図柄表示部及び装飾図柄表示部に、前記図柄変動判定手段により決定された前記特別図柄及び前記装飾図柄、を変動表示させた後に停止表示させる図柄変動演出を制御する図柄表示制御手段と、
前記図柄表示制御手段により停止表示された前記特別図柄及び前記装飾図柄が予め定められた当たり図柄であるときに、前記特別遊技を行わせる特別遊技制御手段とを備えた弾球遊技機であって、
前記第１の特別図柄、第２の特別図柄及び前記装飾図柄は、１つの図柄表示装置に設定された前記特別図柄表示部及び前記装飾図柄表示部に表示され、
前記第１及び第２の各始動入賞口の入賞に対する前記第１及び第２の特別図柄の変動をそれぞれ保留し、その保留数を前記１つの図柄表示装置に設定された保留数表示部に各特別図柄のうち何れのものに係る保留であるかを識別可能に表示すると共に、前記第１及び第２の各始動入賞口の入賞に対してそれぞれ決定される第１、第２の特別図柄を予め定められた順番毎に択一的に選択して前記特別図柄表示部に第１、第２の特別図柄を変動表示させることにより前記各始動入賞口に対する前記第１及び第２の特別図柄の変動保留数を消化し、前記各特別図柄に対して、一の前記装飾図柄表示部に択一的に前記装飾図柄を変動表示させるとともに前記各特別図柄のうちいずれの
特別図柄に対応する装飾図柄を変動させているかを表示し、
前記第1の始動入賞口への入賞に基づく特別遊技と前記第２の始動入賞口への入賞に基づく特別遊技は、いずれの場合でも装飾図柄表示部に特別遊技を実行することを示す装飾図柄を表示した後に、共通の可変入賞口を開放することで実行され、
一方の特別遊技中には両方の始動口の入賞に基づく特別図柄及び装飾図柄の変動をおこなわないことを特徴とする弾球遊技機。
【請求項２】
前記図柄変動判定手段は、前記乱数に基づき前記特別遊技を実行するか否かを判定する確率を変動する機能を搭載し、前記第１及び第２の始動入賞口に共通する条件で確率を変動することを特徴とする請求項１に記載の弾球遊技機。
【手続補正２】
【補正対象書類名】明細書
【補正対象項目名】０００６
【補正方法】変更
【補正の内容】
【０００６】
上記目的達成のため、本発明の弾球遊技機では、遊技盤面に設けられた第１及び第２の始動入賞口にそれぞれ遊技球が入賞する毎に乱数を取得し、当該乱数に基づき前記遊技盤面に設けられた一の可変入賞口を開放して入賞容易とする特別遊技を実行するか否かを判定し、当該特別遊技を実行するときは第１の始動口に対応する第１の特別図柄または第２の始動口に対応する第２の特別図柄、及びその特別図柄に対応した装飾図柄を決定する図柄変動判定手段と、前記特別図柄及び前記装飾図柄をそれぞれ表示させる特別図柄表示部及び装飾図柄表示部に、前記図柄変動判定手段により決定された前記特別図柄及び前記装飾図柄、を変動表示させた後に停止表示させる図柄変動演出を制御する図柄表示制御手段と、前記図柄表示制御手段により停止表示された前記特別図柄及び前記装飾図柄が予め定められた当たり図柄であるときに、前記特別遊技を行わせる特別遊技制御手段とを備えた弾球遊技機であって、前記第１の特別図柄、第２の特別図柄及び前記装飾図柄は、１つの図柄表示装置に設定された前記特別図柄表示部及び前記装飾図柄表示部に表示され、前記第１及び第２の各始動入賞口の入賞に対する前記第１及び第２の特別図柄の変動をそれぞれ保留し、その保留数を前記１つの図柄表示装置に設定された保留数表示部に各特別図柄のうち何れのものに係る保留であるかを識別可能に表示すると共に、前記第１及び第２の各始動入賞口の入賞に対してそれぞれ決定される第１、第２の特別図柄を予め定められた順番毎に択一的に選択して前記特別図柄表示部に第１、第２の特別図柄を変動表示させることにより前記各始動入賞口に対する前記第１及び第２の特別図柄の変動保留数を消化し、前記各特別図柄に対して、一の前記装飾図柄表示部に択一的に前記装飾図柄を変動表示させるとともに前記各特別図柄のうちいずれの特別図柄に対応する装飾図柄を変動させているかを表示し、前記第1の始動入賞口への入賞に基づく特別遊技と前記第２の始動入賞口への入賞に基づく特別遊技は、いずれの場合でも装飾図柄表示部に特別遊技を実行することを示す装飾図柄を表示した後に、共通の可変入賞口を開放することで実行され、一方の特別遊技中には両方の始動口の入賞に基づく特別図柄及び装飾図柄の変動をおこなわないことを特徴としている。これにより、複数の特別図柄を有していてもそれらが同時に変動することは無く、１つの特別図柄とそれに対応した１つの装飾図柄のみが変動するので、遊技者は変動する装飾図柄のみを認識していれば良く、パチンコ遊技全体の複雑化を防止することができ、また、遊技盤面のスペースの効率化を図ることができる。
【手続補正３】
【補正対象書類名】明細書
【補正対象項目名】０００７
【補正方法】変更
【補正の内容】
【０００７】
また、前記図柄変動判定手段は、前記乱数に基づき前記特別遊技を実行するか否かを判定する確率を変動する機能を搭載し、前記第１及び第２の始動入賞口に共通する条件で確率を変動することを特徴としている。
【手続補正書】
【提出日】平成23年4月18日(2011.4.18)
【手続補正１】
【補正対象書類名】特許請求の範囲
【補正対象項目名】全文
【補正方法】変更
【補正の内容】
【特許請求の範囲】
【請求項１】
絵柄を表示する絵柄表示手段を備え、遊技機前面に設けられた絵柄視認部を通じて前記絵柄表示手段による表示絵柄が視認可能とされる遊技機であり、
前記絵柄表示手段は、
前記絵柄視認部の後方に設けられるミラー部材と、
前記ミラー部材の後方に設けられ、前記表示絵柄として第１情報を表示する第１表示手段と、
前記ミラー部材を挟んで前記第１表示手段とは反対側の反対側領域に設けられ、前記表示絵柄として第２情報を表示する第２表示手段と、
を備え、
前記ミラー部材は反射面を有するとともに、前記反射面のうち一部に他の部位よりも透過率が大きい光透過部を有し、
前記光透過部の背後に前記第１表示手段が設けられていることを特徴とする遊技機。
【請求項２】
前記ミラー部材は、前記絵柄視認部の後方において遊技機前面部に対して斜めに傾いた状態で設けられていることを特徴とする請求項１に記載の遊技機。
【請求項３】
前記光透過部は、照射された光の一部を反射し、照射された光の一部を透過するビームスプリッタにより構成されていることを特徴とする請求項１又は請求項２に記載の遊技機。
【請求項４】
前記第１表示手段は、前記第１情報を発光表示させるものであることを特徴とする請求項１乃至３のいずれか１に記載の遊技機。
【請求項５】
前記ミラー部材は、前記光透過部を複数有し、それら複数の光透過部が、前記ミラー部材の傾倒方向に直交する方向に並べて設けられていることを特徴とする請求項１乃至４のいずれか１に記載の遊技機。
【請求項６】
遊技機前面側に設けられた前面部材に開口部が形成され、その開口部が前記絵柄視認部であり、
前記ミラー部材は、前記開口部の遊技機後方に設けられている一方、前記第２表示手段は、前記前面部材の開口部以外の部位の背後に設けられていることを特徴とする請求項１乃至５のいずれか１に記載の遊技機。
【請求項７】
前記第２表示手段は、作動することにより前記第２情報の表示態様を変更する可動部材を備えていることを特徴とする請求項１乃至６のいずれか１に記載の遊技機。
【手続補正書】
【提出日】平成23年4月18日(2011.4.18)
【手続補正１】
【補正対象書類名】特許請求の範囲
【補正対象項目名】全文
【補正方法】変更
【補正の内容】
【特許請求の範囲】
【請求項１】
絵柄を表示する絵柄表示手段を備え、遊技機前面に設けられた絵柄視認部を通じて前記絵柄表示手段による表示絵柄が視認可能とされる遊技機であり、
前記絵柄表示手段は、
前記絵柄視認部の後方に設けられるミラー部材と、
前記ミラー部材の後方に設けられ、前記表示絵柄として第１情報を表示する第１表示手段と、
前記ミラー部材を挟んで前記第１表示手段とは反対側の反対側領域に設けられ、前記表示絵柄として第２情報を表示する第２表示手段と、
を備え、
前記ミラー部材には、前記第１表示手段による第１情報をミラー部材前方へ透過させる透過部と、前記第２表示手段による第２情報を反射させる反射部とが設けられていることを特徴とする遊技機。
【請求項２】
前記ミラー部材は、前記絵柄視認部の後方において遊技機前面部に対して斜めに傾いた状態で設けられていることを特徴とする請求項１に記載の遊技機。
【請求項３】
前記ミラー部材において、前記透過部と前記反射部とが重複することなく区分けして設けられていることを特徴とする請求項１又は請求項２に記載の遊技機。
【請求項４】
前記ミラー部材は、複数のミラー板が相互の間に隙間が設けられるようにして配置され透明のシート材により一体化されたものであり、
前記透過部は、前記複数のミラー板の隙間により形成されていることを特徴とする請求項１乃至３のいずれか１に記載の遊技機。
【請求項５】
前記ミラー部材はその表裏方向に貫通するミラー開口部を有し、そのミラー開口部が前記透過部となっていることを特徴とする請求項１乃至４のいずれか１に記載の遊技機。
【請求項６】
前記ミラー開口部におけるミラー端面が、前記ミラー部材を傾倒状態で遊技機に取り付けた場合に遊技機前後方向に延びるように面形成されていることを特徴とする請求項５に記載の遊技機。
【請求項７】
遊技機前面側に設けられた前面部材に開口部が形成され、その開口部が前記絵柄視認部であり、
前記ミラー部材は、前記開口部の遊技機後方に設けられている一方、前記第２表示手段は、前記前面部材の開口部以外の部位の背後に設けられていることを特徴とする請求項１乃至６のいずれか１に記載の遊技機。
【請求項８】
前記第２表示手段は、作動することにより前記第２情報の表示態様を変更する可動部材を備えていることを特徴とする請求項１乃至７のいずれか１に記載の遊技機。